(57)【要約】【課題】モビリティ手順を実行するときに、ＲＮおよび対応するアクセスノードに関する複合的な、エンドツーエンド信号対雑音比を考慮するための技術を提供し、そして、１型ＲＮにおいてＵＥのモビリティ手順を改善する技術を提供すること。【解決手段】中継ノードとアクセスノードとの間の迂回中継リンクの質に少なくとも部分的に基づいてモビリティ手順を行うか否かを決定するように構成されたプロセッサを備えている、システム。【選択図】図２
2011082980.tif 000002
【特許請求の範囲】
【請求項１】
中継ノードとアクセスノードとの間の迂回中継リンクの質に少なくとも部分的に基づいてモビリティ手順を行うか否かを決定するように構成されたプロセッサ
を備えている、システム。
【請求項２】
前記モビリティ手順は、
セル選択手順と、
再選択手順と、
ハンドオーバ手順と
のうちの１つである、請求項１に記載のシステム。
【請求項３】
前記プロセッサは、前記中継ノードと前記アクセスノードとの間の前記迂回中継リンクの質を受信するようにさらに構成されている、請求項１に記載のシステム。
【請求項４】
前記迂回中継リンクの質は、第１の中継ノードと第１のアクセスノードとの間の第１の迂回中継リンクの質であり、前記プロセッサは、
第２の中継ノードと第２のアクセスノードとの間の第２の迂回中継リンクの質を受信することと、
該第１の迂回中継リンクの質を少なくとも含む第１の複合信号の質を計算することと、
該第２の迂回中継リンクの質を少なくとも含む第２の複合信号の質を計算することと、
該第１の複合信号の質と、該第２の複合信号の質とに基づいて前記モビリティ手順のためにどのセルを使用するかを決定することと
を行うようにさらに構成されている、請求項１に記載のシステム。
【請求項５】
前記モビリティ手順は、最良の複合信号の質が計算されるセルを決定することを包含する、請求項４に記載のシステム。
【請求項６】
前記システムは、ＵＥを備え、該ＵＥが、ＩＤＬＥモードである場合に、前記プロセッサは、セル再選択または選択手順の間、前記迂回中継リンクの質を考慮するように構成されている、請求項１に記載のシステム。
【請求項７】
前記システムは、ＵＥを備え、該ＵＥが、ＣＯＮＮＥＣＴＥＤモードである場合に、前記プロセッサは、ハンドオーバ手順において、前記迂回中継リンクの質を考慮するように構成されている、請求項１に記載のシステム。
【請求項８】
前記システムは、ネットワークコンポーネントを備え、前記ＵＥが、ＣＯＮＮＥＣＴＥＤモードに入った後に、前記プロセッサは、前記ネットワークに指示されたハンドオーバ手順に対して、前記迂回中継リンクの質を考慮するように構成されている、請求項１に記載のシステム。
【請求項９】
前記ＵＥは、トラッキング範囲登録またはトラッキング範囲更新のうちの一方を行う目的のために、ＣＯＮＮＥＣＴＥＤモードに移っている場合に、前記ネットワークは、前記迂回中継リンクの質に基づく該ＵＥに対するハンドオーバ手順を行うことを回避するように構成されている、請求項８に記載のシステム。
【請求項１０】
前記プロセッサは、無線リソース制御（ＲＲＣ）接続要求メッセージにおける確立原因を前記第１のアクセスノードに送信するようにさらに構成されており、該確立原因は、該ＲＲＣ接続要求が、トラッキング範囲登録またはトラッキング範囲更新のうちの一方を行う目的のためのものであることを前記ネットワークコンポーネントに通知するように構成されている、請求項９に記載のシステム。
【請求項１１】
前記システムは、ＵＥを備え、該ＵＥが、ＣＯＮＮＥＣＴＥＤモードに移る前に、前記プロセッサは、セル再選択を行う場合に、前記迂回中継リンクの質を考慮するように構成されている、請求項１に記載のシステム。
【請求項１２】
前記ＵＥが、トラッキング範囲登録またはトラッキング範囲更新のうちの一方を行うためにＣＯＮＮＥＣＴＥＤモードに移っている場合に、前記プロセッサは、前記迂回中継リンクの質によって第２のセルを再選択することを回避するように構成されている、請求項１１に記載のシステム。
【請求項１３】
前記ユーザの非アクセス層（ＮＡＳ）は、ＲＣＣ接続要求が、トラッキング範囲登録またはトラッキング範囲更新のうちの一方を行うためのものであることを、該ＵＥの無線リソース制御（ＲＲＣ）に示す、請求項１２に記載のシステム。
【請求項１４】
前記システムは、ＵＥを備え、該ＵＥが、ＣＯＮＮＥＣＴＥＤモードである場合に、前記プロセッサは、
該ＵＥによって生成された測定報告を送信するためにネットワークに指示された要求を受信することと、
前記第１のセルに対してよりも良好な複合信号の質を有する第２のセルにハンドオーバされるようにネットワークに指示された要求を受信することと
を行うようにさらに構成されている、請求項１に記載のシステム。
【請求項１５】
モビリティ手順におけるＵＥによる使用のために、迂回中継リンクの質に関連する情報を該ＵＥに提供するように構成されているプロセッサ
を備えている、ネットワークコンポーネント。
【請求項１６】
前記モビリティ手順は、
セル選択手順と、
再選択手順と、
ハンドオーバ手順と
のうちの１つである、請求項１５に記載のネットワークコンポーネント。
【請求項１７】
前記プロセッサはさらに、前記モビリティ手順における前記ＵＥによる使用のために、複合リンクの質に関連する情報を該ＵＥに提供するように構成されている、請求項１５に記載のネットワークコンポーネント。
【請求項１８】
前記ネットワークコンポーネントは、中継ノードとアクセスノードとのうちの少なくとも一方を備えている、請求項１５に記載のネットワークコンポーネント。
【請求項１９】
前記プロセッサは、無線リソース制御（ＲＲＣ）接続要求メッセージにおける確立原因を前記ＵＥから受信するようにさらに構成されている、請求項１５に記載のネットワークコンポーネント。
【請求項２０】
プロセッサによって実装される方法であって、該方法は、
モビリティ手順を行うか否かを決定することを包含し、該決定することは、中継ノードとアクセスノードとの間の迂回中継リンクの質に少なくとも部分的に基づいている、方法。
【請求項２１】
前記迂回中継リンクの質は、第１の中継ノードと第１のアクセスノードとの間の第１の迂回中継リンクの質であり、前記方法は、
第２の中継ノードと第２のアクセスノードとの間の第２の迂回中継リンクの質を受信することと、
該第１の迂回中継リンクの質を少なくとも含む第１の複合信号の質を計算することと、
該第２の迂回中継リンクの質を少なくとも含む第２の複合信号の質を計算することと、
該第１の複合信号の質と、該第２の複合信号の質とに基づいて前記モビリティ手順のためにどのセルを使用するかを決定することと
をさらに包含する、請求項２０に記載の方法。
【請求項２２】
前記モビリティ手順は、
セル選択手順と、
再選択手順と、
ハンドオーバ手順と
のうちの１つである、請求項２０に記載の方法。
【請求項２３】
前記モビリティ手順は、最良の複合信号の質が計算されるセルを決定することを包含する、請求項２０に記載の方法。
【請求項２４】
前記ＵＥがＩＤＬＥモードとＣＯＮＮＥＣＴＥＤモードとのうちの一方である場合に、前記方法は、前記モビリティ手順の間の前記迂回中継リンクの質を考慮に入れることを含む、請求項２０に記載の方法。
【請求項２５】
前記ＵＥがＣＯＮＮＥＣＴＥＤモードに移る前に、セル再選択を行う場合に、前記迂回中継リンクの質を考慮することをさらに包含する、請求項２０に記載の方法。
【発明の詳細な説明】
【背景技術】
【０００１】
本明細書において使用される場合、用語「デバイス」、「ユーザ機器」、および「ＵＥ」は、一部の場合において、モバイルデバイス、例えば、モバイル電話、携帯情報端末、ハンドヘルドコンピュータまたはラップトップコンピュータ、Ｂｌａｃｋｂｅｒｒｙ（登録商標）デバイス、および遠隔通信能力を有する同様のデバイスを指し得る。このようなＵＥは、ＵＥと、関連のリムーバブルメモリモジュールとからなり、該関連のリムーバブルメモリモジュールは、限定するものではないが、例えば、加入者識別モジュール（ＳＩＭ）アプリケーション、ユニバーサル加入者識別モジュール（ＵＳＩＭ）アプリケーション、またはリムーバブルユーザ識別モジュール（Ｒ−ＵＩＭ）アプリケーションを含む汎用集積回路カード（ＵＩＣＣ）である。あるいは、このようなＵＥは、このようなモジュールのないデバイス自体からなり得る。他の場合においては、用語「ＵＥ」は、同様の能力を有するが、移動可能ではないデバイス、例えば、デスクトップコンピュータ、セットトップコンピュータ、またはネットワーク器具を指し得る。用語「ＵＥ」はまた、ユーザに対する通信セッションを終結させ得る任意のハードウェアコンポーネントまたはソフトウェアコンポーネントを指し得る。また、用語「ユーザエージェント」、「ＵＡ」、「ユーザ機器」、「ＵＥ」、「ユーザデバイス」、および「ユーザノード」が、本明細書において、同義語として使用され得る。
【０００２】
遠隔通信技術が、発達するにつれて、より高度なネットワークアクセス機器が、導入され、該より高度なネットワークアクセス機器は、以前は可能でなかったサービスを提供し得る。このネットワークアクセス機器は、従来のワイヤレス遠隔通信システムにおける同等の機器の改良型であるシステムおよびデバイスを含み得る。このような高度な機器または次世代機器は、発展途上の通信規格、例えば、ロングタームエボリューション（ＬＴＥ）および改良型ロングタームエボリューション（ＬＴＥ−Ａ）に含まれ得る。例えば、ＬＴＥシステムまたはＬＴＥ−Ａシステムは、次世代地上無線アクセスネットワーク（Ｅ−ＵＴＲＡＮ）であり得、そして、従来の基地局ではなく、Ｅ−ＵＴＲＡＮノードＢ（すなわちｅＮＢ）、ワイヤレスアクセスポイント、または同様のコンポーネントを含み得る。本明細書において使用される場合、用語「アクセスノード」は、従来の基地局、ワイヤレスアクセスポイント、またはＬＴＥ、もしくはＬＴＥ−ＡノードＢすなわちｅＮＢなどのワイヤレスネットワークの任意のコンポーネントを指し、該任意のコンポーネントは、ＵＥまたは中継ノードが、遠隔通信システムにおける他のコンポーネントにアクセスすることを可能にする受信および送信カバレージの地理的範囲を形成する。この文書において、用語「アクセスノード」および「アクセスデバイス」は、交換可能に使用され得るが、アクセスノードは、複数のハードウェアおよびソフトウェアを含み得ることが、理解される。
【発明の概要】
【課題を解決するための手段】
【０００３】
したがって、本発明は、以下を提供する。
【０００４】
（項目１）  
中継ノードとアクセスノードとの間の迂回中継リンクの質に少なくとも部分的に基づいてモビリティ手順を行うか否かを決定するように構成されたプロセッサ
を備えている、システム。
【０００５】
（項目２）  
上記モビリティ手順は、
セル選択手順と、
再選択手順と、
ハンドオーバ手順と
のうちの１つである、上記項目のうちのいずれか１項に記載のシステム。
【０００６】
（項目３）  
上記プロセッサは、上記中継ノードと上記アクセスノードとの間の上記迂回中継リンクの質を受信するようにさらに構成されている、上記項目のうちのいずれか１項に記載のシステム。
【０００７】
（項目４）  
上記迂回中継リンクの質は、第１の中継ノードと第１のアクセスノードとの間の第１の迂回中継リンクの質であり、上記プロセッサは、
第２の中継ノードと第２のアクセスノードとの間の第２の迂回中継リンクの質を受信することと、
該第１の迂回中継リンクの質を少なくとも含む第１の複合信号の質を計算することと、
該第２の迂回中継リンクの質を少なくとも含む第２の複合信号の質を計算することと、
該第１の複合信号の質と、該第２の複合信号の質とに基づいて上記モビリティ手順のためにどのセルを使用するかを決定することと
を行うようにさらに構成されている、上記項目のうちのいずれか１項に記載のシステム。
【０００８】
（項目５）  
上記モビリティ手順は、最良の複合信号の質が計算されるセルを決定することを包含する、上記項目のうちのいずれか１項に記載のシステム。
【０００９】
（項目６）  
上記システムは、ＵＥを備え、該ＵＥが、ＩＤＬＥモードである場合に、上記プロセッサは、セル再選択または選択手順の間、上記迂回中継リンクの質を考慮するように構成されている、上記項目のうちのいずれか１項に記載のシステム。
【００１０】
（項目７）  
上記システムは、ＵＥを備え、該ＵＥが、ＣＯＮＮＥＣＴＥＤモードである場合に、上記プロセッサは、ハンドオーバ手順において、上記迂回中継リンクの質を考慮するように構成されている、上記項目のうちのいずれか１項に記載のシステム。
【００１１】
（項目８）  
上記システムは、ネットワークコンポーネントを備え、上記ＵＥが、ＣＯＮＮＥＣＴＥＤモードに入った後に、上記プロセッサは、上記ネットワークに指示されたハンドオーバ手順に対して、上記迂回中継リンクの質を考慮するように構成されている、上記項目のうちのいずれか１項に記載のシステム。
【００１２】
（項目９）  
上記ＵＥは、トラッキング範囲登録またはトラッキング範囲更新のうちの一方を行う目的のために、ＣＯＮＮＥＣＴＥＤモードに移っている場合に、上記ネットワークは、上記迂回中継リンクの質に基づく該ＵＥに対するハンドオーバ手順を行うことを回避するように構成されている、上記項目のうちのいずれか１項に記載のシステム。
【００１３】
（項目１０）  
上記プロセッサは、無線リソース制御（ＲＲＣ）接続要求メッセージにおける確立原因を上記第１のアクセスノードに送信するようにさらに構成されており、該確立原因は、該ＲＲＣ接続要求が、トラッキング範囲登録またはトラッキング範囲更新のうちの一方を行う目的のためのものであることを上記ネットワークコンポーネントに通知するように構成されている、上記項目のうちのいずれか１項に記載のシステム。
【００１４】
（項目１１）  
上記システムは、ＵＥを備え、該ＵＥが、ＣＯＮＮＥＣＴＥＤモードに移る前に、上記プロセッサは、セル再選択を行う場合に、上記迂回中継リンクの質を考慮するように構成されている、上記項目のうちのいずれか１項に記載のシステム。
【００１５】
（項目１２）  
上記ＵＥが、トラッキング範囲登録またはトラッキング範囲更新のうちの一方を行うためにＣＯＮＮＥＣＴＥＤモードに移っている場合に、上記プロセッサは、上記迂回中継リンクの質によって第２のセルを再選択することを回避するように構成されている、上記項目のうちのいずれか１項に記載のシステム。
【００１６】
（項目１３）  
上記ユーザの非アクセス層（ＮＡＳ）は、ＲＣＣ接続要求が、トラッキング範囲登録またはトラッキング範囲更新のうちの一方を行うためのものであることを、該ＵＥの無線リソース制御（ＲＲＣ）に示す、上記項目のうちのいずれか１項に記載のシステム。
【００１７】
（項目１４）  
上記システムは、ＵＥを備え、該ＵＥが、ＣＯＮＮＥＣＴＥＤモードである場合に、上記プロセッサは、
該ＵＥによって生成された測定報告を送信するためにネットワークに指示された要求を受信することと、
上記第１のセルに対してよりも良好な複合信号の質を有する第２のセルにハンドオーバされるようにネットワークに指示された要求を受信することと
を行うようにさらに構成されている、上記項目のうちのいずれか１項に記載のシステム。
【００１８】
（項目１５）  
モビリティ手順におけるＵＥによる使用のために、迂回中継リンクの質に関連する情報を該ＵＥに提供するように構成されているプロセッサ
を備えている、ネットワークコンポーネント。
【００１９】
（項目１６）  
上記モビリティ手順は、
セル選択手順と、
再選択手順と、
ハンドオーバ手順と
のうちの１つである、上記項目のうちのいずれか１項に記載のネットワークコンポーネント。
【００２０】
（項目１７）  
上記プロセッサはさらに、上記モビリティ手順における上記ＵＥによる使用のために、複合リンクの質に関連する情報を該ＵＥに提供するように構成されている、上記項目のうちのいずれか１項に記載のネットワークコンポーネント。
【００２１】
（項目１８）  
上記ネットワークコンポーネントは、中継ノードとアクセスノードとのうちの少なくとも一方を備えている、上記項目のうちのいずれか１項に記載のネットワークコンポーネント。
【００２２】
（項目１９）  
上記プロセッサは、無線リソース制御（ＲＲＣ）接続要求メッセージにおける確立原因を上記ＵＥから受信するようにさらに構成されている、上記項目のうちのいずれか１項に記載のネットワークコンポーネント。
【００２３】
（項目２０）  
プロセッサによって実装される方法であって、該方法は、
モビリティ手順を行うか否かを決定することを包含し、該決定することは、中継ノードとアクセスノードとの間の迂回中継リンクの質に少なくとも部分的に基づいている、方法。
【００２４】
（項目２１）  
上記迂回中継リンクの質は、第１の中継ノードと第１のアクセスノードとの間の第１の迂回中継リンクの質であり、上記方法は、
第２の中継ノードと第２のアクセスノードとの間の第２の迂回中継リンクの質を受信することと、
該第１の迂回中継リンクの質を少なくとも含む第１の複合信号の質を計算することと、
該第２の迂回中継リンクの質を少なくとも含む第２の複合信号の質を計算することと、
該第１の複合信号の質と、該第２の複合信号の質とに基づいて上記モビリティ手順のためにどのセルを使用するかを決定することと
をさらに包含する、上記項目のうちのいずれか１項に記載の方法。
【００２５】
（項目２２）  
上記モビリティ手順は、
セル選択手順と、
再選択手順と、
ハンドオーバ手順と
のうちの１つである、上記項目のうちのいずれか１項に記載の方法。
【００２６】
（項目２３）  
上記モビリティ手順は、最良の複合信号の質が計算されるセルを決定することを包含する、上記項目のうちのいずれか１項に記載の方法。
【００２７】
（項目２４）  
上記ＵＥがＩＤＬＥモードとＣＯＮＮＥＣＴＥＤモードとのうちの一方である場合に、上記方法は、上記モビリティ手順の間の上記迂回中継リンクの質を考慮に入れることを含む、上記項目のうちのいずれか１項に記載の方法。
【００２８】
（項目２５）  
上記ＵＥがＣＯＮＮＥＣＴＥＤモードに移る前に、セル再選択を行う場合に、上記迂回中継リンクの質を考慮することをさらに包含する、上記項目のうちのいずれか１項に記載の方法。
【００２９】
（摘要）
中継ノードとアクセスノードとの間の迂回中継リンクの質に少なくとも部分的に基づいてモビリティ手順を行うか否かを決定するように構成されたプロセッサを含むシステム。
【図面の簡単な説明】
【００３０】
本開示のさらに完全な理解のために、ここで、同様な参照番号は同様な部分を表す、添付の図面と詳細な記述とに関連付けて考慮される以下の簡潔な記述に対して、参照が行われる。
【図１】図１は、本開示の実施形態に従った通信システムの図である。
【図２】図２は、本開示の実施形態に従った通信システムの図である。
【図３】図３は、本開示の実施形態に従った、セル選択またはセル再選択のうちの一方から選択された手順を行うか否かを決定するために迂回中継リンクの質を使用するプロセスを例示する流れ図である。
【図４】図４は、本明細書において開示された１つ以上の実施形態を実装するのに適した処理コンポーネントを含むシステムの例を例示する。
【発明を実施するための形態】
【００３１】
（詳細な説明）
本開示の１つ以上の実施形態の例示的な実装が以下に提供されているが、開示されたシステムおよび／または方法は、現在公知のまたは現存の任意の数の技術を使用して実装され得ることが最初に理解されるべきである。本開示は、本明細書に示され説明される例示的な設計および実装を含む以下に示される例示的な実装、図面、および技術に決して限定されるべきではなく、添付の特許請求の範囲内ならびにそれらの均等物の全範囲内で修正され得る。
【００３２】
本明細書、特許請求の範囲、および図面全体にわたって使用されているように、次の用語は次の定義を有する。別に明記されていなければ、すべての用語は、第三世代パートナーシッププログラム（３ＧＰＰ）技術仕様書に示される基準によって定義され、これに従う。
【００３３】
「ＡＣＫ」は、例えば肯定応答信号のように、「肯定応答」と定義される。
【００３４】
「ＣＱＩ」は、「チャンネル質インジケータ」と定義される。
【００３５】
「ＥＰＣ」は、「拡張パケットコア」と定義される。
【００３６】
「Ｅ−ＵＴＲＡ」は、「発展型汎用地上無線アクセス」と定義される。
【００３７】
「Ｅ−ＵＴＲＡＮ」は、「発展型汎用地上無線アクセスネットワーク」と定義される。
【００３８】
「ＨＡＲＱ」は、「ハイブリッド自動再送要求」と定義される。
【００３９】
「ＩＥ」は、「情報要素」と定義される。
【００４０】
「ＬＴＥ」は、「ロングタームエボリューション」と定義され、無線通信プロトコル、システム、および／またはソフトウエアのセットを指す。
【００４１】
「ＬＴＥ−Ａ」は、「ロングタームエボリューション、改良型」と定義され、ＬＴＥよりも新しい無線通信プロトコル、システム、および／またはソフトウエアのセットを指す。
【００４２】
「ＭＣＳ」は、「変調および符号化スキーム」と定義される。
【００４３】
「ＭＭＥ」は、「モビリティ管理エンティティ」と定義される。
【００４４】
「ＮＡＳ」は、「非アクセス層」と定義される。
【００４５】
「ＰＬＭＮ」は、「公衆地上移動ネットワーク」と定義される。
【００４６】
「ＲＡＮ」は、「無線アクセスネットワーク」と定義される。
【００４７】
「ＲＡＴ」は、「無線アクセス技術」と定義される。
【００４８】
「ＲＦ」は、「無線周波数」と定義される。
【００４９】
「ＲＮ」は、「中継ノード」と定義される。
【００５０】
「ＲＲＣ」は、「無線リソース制御」と定義される。
【００５１】
「ＲＳＲＰ」は、「基準信号受信電力」と定義される。
【００５２】
「ＳＧＷ」は、「サービングゲートウェイ」と定義される。
【００５３】
「ＳＮＲ」は、「信号対雑音比」と定義される。
【００５４】
「ＳＲ」は、「スケジューリング要求」と定義される。
【００５５】
「ＴＡＵ」は、「トラッキング領域更新」と定義される。
【００５６】
「Ｕｎ」は、ＲＮとドナーｅＮＢとの間のインターフェースと定義される。
【００５７】
「Ｕｕ」は、ＵＥとＲＮとの間のインターフェースと定義される。
【００５８】
本明細書に説明される実施形態は、少なくとも１型中継ネットワークにおけるＵＥモビリティ手順を改良するための技術に関する。詳細には、実施形態は、モビリティ手順を実行するとき、ＲＮおよび対応するアクセスノードに関する複合的な、エンドツーエンド信号対雑音比を考慮するための技術を提供する。モビリティ手順は、ＵＥに対するセル選択、セル再選択、および／またはハンドオーバ手順を含む。
【００５９】
ＲＮのないネットワークにおいては、通信が、ＥＰＣであり得るネットワークの残りの有線部分に到達する前に通常ただ１つの無線接続が確立される。以下の説明においては、本発明者らは、例としてＥＰＣを使用する。しかしながら、他のタイプのコアネットワークも可能である。１つの無線接続は通常、ＵＥと、例えばｅＮＢのようなアクセスノードとの間の無線リンクである。アクセスノードとＥＰＣとの間の接続は普通、配線されており、例えばはるかに低いビット誤り率およびより一貫したチャンネル状態のような良好な送信特性を有する。
【００６０】
しかしながら、ＲＮを有するネットワークにおいては、複数の無線リンクが、ＵＥと、例えばＥＰＣのようなコアネットワークとの間の一連のリンクにおいて確立され得る。例えば、ＵＥはＲＮと無線接続し、ＲＮは次にアクセスノードと無線接続し、アクセスノードは次にＥＰＣと接続する。さらなるＲＮまたはアクセスノードもこの一連のつながりにおいて存在し得、ＥＰＣとの接続は無線であり得さえする。
【００６１】
無線リンクが確立されるときはいつも、ＵＥが動き回るとき考慮されるべき、例えば多経路効果およびシャドウイング効果のような様々な無線チャンネル特性により、信号の質が問題となる。低い信号の質は、データの受信を遅らせ、データを汚染し、スペクトル効率を低減し、またはデータの送信を失敗させさえもする点で、ＵＥにおける性能を阻害し得る。
【００６２】
ＵＥとＥＰＣとの間にただ１つの無線接続を有するＲＮのないネットワークに対しては、アクセスノードの選択は比較的簡単である。ＵＥは、近くのアクセスノードからの信号の質を測定し得、次に、最良の信号の質を有するアクセスノードを選択し得るか、または何らかの他の基準に基づいてアクセスノードを選択し得る。したがって、セル選択または再選択は、ＵＥがＩＤＬＥモードにあるとき、ＵＥとｅＮＢとの間のリンクの質に基づき得る。この技術はまた、ＵＥがＣＯＮＮＥＣＴＥＤモードにあるとき、ハンドオーバ手順に対しても使用され得る。
【００６３】
ＲＮおよび／または複数の無線接続を有するネットワークに対しては、通信のためのアクセスノードまたはＲＮの選択はもっと複雑である。さらなる複雑さの理由は、すべてのアクセスノードおよびＲＮのうち最良の直接的に測定可能な信号の質を提供するＲＮでも、ＵＥとＥＰＣとの間でデータをやりとりする点で、最良の全体的な信号の質を提供しないことがあり得るからである。全体的な信号の質は、ＲＮとアクセスノードとの間の信号の質に影響され得る。全体的な信号の質はまた、複合的な信号の質とも称され得る。ｅＮＢに接続されたＵＥに対しては、複合的な信号の質は、ＵＥと、例えばｅＮＢのようなアクセスノードとの間の無線リンクの信号の質である。ＲＮに接続されたＵＥに対しては、複合的な信号は、２つの無線リンクの全体的な信号の質である。一方の無線リンクは、ＵＥとＲＮとの間であり、他方の無線リンクは、ＲＮとアクセスノードとの間である。
【００６４】
ＲＮとアクセスノードとの間のリンクは、迂回中継リンクと称され得る。迂回中継リンクの信号の質は、ＵＥとＥＰＣとの間の全体的な信号の質に影響を与える。例えば、ＵＥとＲＮ１との間の信号の質が非常に良好であるとしても、ＲＮ１とｅＮＢ１との間の信号の質が非常に低ければ、ＵＥとｅＮＢ１との間の複合的な信号の質は低い可能性がある。しかしながら、ＵＥとＲＮ２との間の信号の質が中ぐらいであるとしても、ＲＮ２とｅＮＢ１との間の信号の質が非常に良好であれば、（ＲＮ２を介する）ＵＥとｅＮＢ１との間の複合的な信号の質は、（ＲＮ１を介する）ＵＥとｅＮＢ１との間の他方の複合的な信号の質よりも良好であり得る。
【００６５】
迂回中継リンクの信号の質が複合的な信号の質に与える影響は、必ずしも直接的ではない。例えば、複合的な信号の質は、アクセスリンクの信号の質および迂回中継リンクの信号の質のうち、必ずしも劣った方ではない。複合的な信号の質を判断する技術が以下に与えられる。
【００６６】
低減された迂回中継リンクの信号の質が可能性として存在する結果、アクセスリンクの信号の質だけに基づいてＲＮを選ぶ（選択する、再選択する、ハンドオーバする）ＵＥは、アクセスノードであれまたはＲＮであれ、ＵＥとＥＰＣとの間の最良の複合的な信号の質につながるノードを選ばないことがあり得る。最良の全体的なリンクは、より低いアクセスリンクの信号の質を有するが、ＵＥが選択されたＲＮに接続された場合は複合的な信号の質よりもまだ高くあり得るｅＮＢによって生成され得る可能性がある。最良の全体的なリンクはまた、より低いアクセスリンクの信号の質を有するが、より良好な複合的な信号の質を有する一連のリンクに接続する異なるＲＮによって生成され得る可能性もある。本明細書に説明される実施形態は、ＵＥが、最良の複合的な信号の質と関連するＲＮを選ぶことを可能にし、それによってデータスループット、送信の質、およびスペクトル効率を改良するための技術を提供する。
【００６７】
図１は、本開示の実施形態による通信システムの図である。通信システム１００は、ＬＴＥ−Ａシステムのアーキテクチャを表す。
【００６８】
ＲＮは、ｅＮＢとの通信を容易にするデバイスである。ＲＮは一般的に、層１ＲＮ、層２ＲＮ、および層３ＲＮの３つの群に分割され得る。層１ＲＮは、増幅および可能性としてのわずかな遅延以外いかなる修正もなく受信された信号を単に再送信するリピータであり得る。層２ＲＮは、受信する送信を復調／復号し得、復号の結果を再符号化／変調し得、次に変調されたデータを送信し得る。層３ＲＮは、完全な無線リソース制御能力を有し得、したがって、アクセスノードと同様に機能し得る。ＲＮによって使用される無線リソース制御プロトコルは、アクセスノードによって使用されるものと同じであり得、ＲＮは、アクセスノードによって通常使用される独特なセルアイデンティティを有し得る。「層ｘ」ＲＮは、「タイプｘ」ＲＮから区別される。例えば、層１ＲＮは、１型ＲＮではない。事実、１型ＲＮは、機能的に層３ＲＮと同様である。１型ＲＮは、以下により詳細に説明される。
【００６９】
本開示の目的で、ＲＮは、例えばＭＭＥ／ＳＧＷのような通信システムにおいて他のコンポーネントにアクセスするために、少なくとも１つのｅＮＢまたは他のアクセスノード（およびアクセスノードと関連するセル）ならびに可能性として他のＲＮの存在を必要とするという事実によって、ＲＮは、ｅＮＢまたは他のアクセスノードから区別される。さらに、本開示の目的で、用語「ｅＮＢ」は、「発展型ノード−Ｂ」のみに限定されず、ＭＭＥ／ＳＧＷまたは拡張パケットコアのコンポーネントと通信するために適切な任意のタイプのアクセスノードを指し得る。
【００７０】
ＲＮの動作の例において、ＵＥ１０２は、ＲＮ１０６およびｅＮＢ１０８を介してＭＭＥ／ＳＧＷ１０４と通信する。詳細には、ＵＥ１０２は、ＲＮ１０６と通信し、ＲＮ１０６は、ｅＮＢ１０８と通信し、ｅＮＢ１０８は、例えば想像線で識別されるＳ１インターフェースのようなインターフェースを介してＭＭＥ／ＳＧＷ１０４と通信する。
【００７１】
別の実施形態において、例えばＵＥ１１２のようなＵＥは、例えばＲＮ１１４のようなＲＮと通信し得、該ＲＮ自体は、例えばｅＮＢ１０８およびｅＮＢ１１６のような２つ以上の異なるｅＮＢと通信する。ｅＮＢ１１６は、例えば想像線で識別されるＳ１インターフェースのようなインターフェースを介して、例えばＭＭＥ／ＳＧＷ１１８のような異なるＭＭＥ／ＳＧＷと通信し得る。ＲＮ１１４がｅＮＢ１０８に接続されておれば、ｅＮＢ１０８によって生成されるセルは、ドナーセルと言い得る。一実施形態において、ｅＮＢ１０８およびｅＮＢ１１６は、例えば、ｅＮＢ１０８とｅＮＢ１１６とを接続するラインによって識別されるＸ２インターフェースを介して、互いに通信し得る。
【００７２】
上記の例は、１つまたは２つのＲＮだけに供するｅＮＢを説明している。しかしながら、各ｅＮＢは、より多くのまたはより少ないＲＮと通信し得る。識別されたコンポーネントの他の配列が可能であり、より多くの、より少ない、様々な、またはさらなるコンポーネントが存在し得る。
【００７３】
ＲＮは、３ＧＰＰ  ＬＴＥ−改良型がＬＴＥ  ＲＡＮをさらに発展させるために使用している１つの例示的なメカニズムである。ＬＴＥ−改良型（ＬＴＥ−Ａ）において、中継技術が、平均セルスループットを改良し、セルカバレージを拡張するために使用される。さらに、ＬＴＥ−Ａシステムの中へのＲＮの包含はまた、ＵＥのバッテリー寿命を効率的に延長すること、ＵＥスループットを増大すること、およびセルカバレージを拡大することの目的でも意図される。
【００７４】
ＲＮの包含によって提起される問題の１つは、ＵＥとＭＭＥ／ＳＧＷとの間の全体的な信号の質の計算が、２つ以上の通信リンクの存在によって複雑化されることである。例えば、ＭＭＥとｅＮＢとの間の接続がしばしば良好な質の有線リンクである一方、ＵＥが、モビリティ手順の間にどのアクセスノードまたはＲＮと接続するかまたは留まることを試みるべきかを判断するとき、ＵＥとアクセスノードとの間のリンク、ＵＥとＲＮとの間のリンク、およびＲＮとｅＮＢとの間のリンクの信号の質がすべて考慮される必要があり得る。モビリティ手順は、セル選択、セル再選択、ハンドオーバ、またはより一般的にはＵＥが実行し得る任意のモビリティ手順を含み得る。本明細書に説明される実施形態において、ＵＥとＲＮとの間のリンクは、アクセスリンクと称され得、ＲＮとｅＮＢとの間のリンクは、迂回中継リンクと称され得る。しかしながら、他の名称が使用され得る。さらに、より複雑な通信システムに対しては、さらなるＲＮが、ＵＥにアクセスされたＲＮとｅＮＢとの間に存在する場合、複数の迂回中継リンクが存在し得る。なおさらに、複数の迂回中継リンクが、潜在的にも存在し得る。他の配列も可能であり、それらのすべては、本開示の精神および範囲内にある。
【００７５】
どのｅＮＢまたはＲＮとＵＥは接続するべきかを決定する例において、ＵＥ１１２は、ＲＮ１１４と接続されている。しかしながら、ＵＥ１１２は、ＲＮ１１４を介してｅＮＢ１０８またはｅＮＢ１１６のいずれかに接続するかまたは留まり得る。どの接続が最適な全体的な信号の質を提示するかを判断するために、検査が、ＲＮ１１４とｅＮＢ１０８との間の信号の質対ＲＮ１１４とｅＮＢ１１６との間の信号の質について行われ得る。
【００７６】
どのｅＮＢまたはＲＮとＵＥは接続するべきかを決定する別の例において、ＵＥは、２つの選択肢を有し得る。第１の選択肢は、ｅＮＢ１０８に直接的に接続することであり、第２の選択肢は、ＲＮ１０６に接続し、次にＲＮ１０６が、ｅＮＢ１０８に接続することである。どの接続が最適な全体的な信号の質またはスペクトル効率を提供するかを判断するために、検査が、これらの２つの異なる接続の間で行われ得る。本明細書に説明された実施形態は、これらの測定をする／または処理するための方法および／またはデバイスに関する。
【００７７】
特定の非限定実施形態において、ＲＮ１０６、ＲＮ１１４、ＲＮ１２０またはＲＮ１２２のうちの任意のものは、１型ＲＮであり得る。本明細書に説明される実施形態のうちの１つは、ドナーｅＮＢと１型ＲＮとの間の迂回中継リンクの質を考慮しながら、１型中継ネットワークにおけるＵＥ  ＩＤＬＥモードモビリティを取り扱うことに関する。本明細書に説明される実施形態のうちの別の１つは、ドナーｅＮＢと１型ＲＮとの間の迂回中継リンクの質を考慮しながら、例えば１型中継ネットワークにおけるハンドオーバ手順のようなＵＥ  ＣＯＮＮＥＣＴＥＤモードモビリティ手順を取り扱うことに関する。本明細書に説明される実施形態のうちのさらに別の１つは、ドナーｅＮＢと１型ＲＮとの間の迂回中継リンクの質を考慮しながら、１型中継ネットワークにおけるＩＤＬＥモードからＣＯＮＮＥＣＴＥＤモードへのＵＥ移行を取り扱うことに関する。一部の他の実施形態において、これらのＲＮは、タイプ２または層１、２、または３中継のうちの任意のものであり得、本開示の技術は、任意の場合において使用され得る。
【００７８】
図２は、本開示の実施形態による通信システムの図である。通信システム２００は、図１の通信システム１００に対して簡略化された通信システムであり得、本システムをより容易に示すために使用され得る。図２において、「Ｕｕ」と標示された想像線によって示されるように、ＵＥ２０２は、ＲＮ２０４と通信する。「Ｕｎ」と標示された想像線によって示されるように、ＵＥ２０４は、ｅＮＢ２０６と通信する。ｅＮＢ２０６は、ＥＰＣ２０８と通信する。ＥＰＣ２０８は、サーバコンピュータで表されるが、ＥＰＣ２０８は、ＵＥ２０２といくつかの他のＵＥ（図示されず）との間の通信を容易にするために使用され得る、可能性としてネットワークを介してリンクされる、１つ以上のハードウエアおよび／もしくはソフトウエアコンポーネントまたは周知の遠隔通信システムであり得る。
【００７９】
一実施形態において、ＬＴＥ−Ａは、例えばＬＴＥリリース８またはＬＴＥリリース９のようなより早期のＬＴＥリリースを延長し、高いデータ率のカバレージ、グループモビリティ、一時的なネットワーク開発、セル−エッジスループットおよび／または新しい領域におけるカバレージの提供を含むがこれらに限定されない様々な無線通信の局面を改良するためのツールとして、中継のためのサポートを提供する。一実施形態において、ＲＮ２０４は、Ｕｎインターフェースを介してドナーｅＮＢ２０６のドナーセルに無線接続される。ＵＥ２０２は、Ｕｕインターフェースを介してＲＮ２０４に接続する。
【００８０】
Ｕｎ接続は、２つ以上のタイプのうちの１つであり得る。Ｕｎ接続の１つのタイプは、「帯域内」であり得る。「帯域内」接続に対して、ｅＮＢ対ＲＮリンクは、ドナーセル内の直接的なｅＮＢ対ＵＥリンクと同じ周波数帯域を共有し得る。Ｕｎ接続の別のタイプは、「帯域外」であり得る。「帯域外」接続に対しては、ｅＮＢ対ＲＮリンクは、ドナーセル内の直接的ｅＮＢ対ＵＥリンクと同じ周波数帯域で動作しないことがあり得る。
【００８１】
例えばＴＲ３６．８１４のような３ＧＰＰ仕様書は、少なくとも１型ＲＮは、ＬＴＥ−Ａネットワークの一部であると規定している。１型ＲＮは、以下の段落で説明される特性を有する帯域内ＲＮであり得るが、しかし、これは限定するものとしては意味されておらず、１型ＲＮは、帯域外迂回中継を有し得る。１型ＲＮは、それ自体の物理的セル識別および部分的かまたは完全なＲＲＣプロトコルスタックを有するように定義され得る。１型ＲＮは、層３ＲＮであり得る。
【００８２】
１型ＲＮによって制御されるセルは、ＵＥにとってはドナーセルとは異なる別個のセルとして見え得る。各セルは、ＬＴＥリリース８において定義される、それ自体の物理的セル識別を有し得、ＲＮは、それ自体の同期信号、基準記号、および他の情報を送信し得る。単一のセル動作という関連において、ＵＥは、ＲＮから直接的にスケジューリング情報およびＨＡＲＱフィードバックを受信し得、それ自体の制御チャンネル（例えば、ＳＲ、ＣＱＩ、およびＡＣＫ）をＲＮに送信し得る。１型ＲＮは、リリース８ＵＥにとってはリリース８ｅＮＢとして見え得、それによって逆方向互換性を確立し得る。さらなる性能拡張を可能にするために、ＬＴＥ−Ａ  ＵＥに対しては、１型ＲＮは、リリース８ｅＮＢとは異なって見え得る。
【００８３】
（ＩＤＬＥモードのモビリティ手順）
上記のように、本明細書において記述された実施形態は、１型ＲＮにおいてＵＥのモビリティ手順を改善する技術を提供する。例示の目的だけのために、ＩＤＬＥモードのモビリティ手順のための手順が、１型ＲＮに関して記述されるが、実施形態はまた、他の型のＲＮに適用され得る。
【００８４】
ＩＤＬＥモードにおけるＵＥの手順は、セル選択とセル再選択との２つのステップを含み得る。ＵＥが電源を入れられると、ＵＥは、ＩＤＬＥモードの測定とセル選択基準とに基づいて適切なセルを選択し得る。本明細書において使用される場合、用語「適切なセル」は、ＵＥが通常のサービスを得るために留まり得るセルである。セルが、セル選択基準「Ｓ」を満たす場合に、セルは、「適切である」と考えられ得、該セル選択基準「Ｓ」は、式：
Ｓｒｘｌｅｖ＞０
によって定義され、ここで、
Ｓｒｘｌｅｖ＝Ｑｒｘｌｅｖｍｅａｓ−（Ｑｒｘｌｅｖｍｉｎ＋Ｑｒｘｌｅｖｍｉｎｏｆｆｓｅｔ）−Ｐｃｏｍｐｅｎｓａｔｉｏｎ
である。これらの用語は、
【００８５】
【表１】
2011082980.tif 000003
として定義される。
【００８６】
セル選択のステップに関して、ＵＥは、以下のセル選択手順のうちの一方または両方を使用し得る。２つのセル選択手順のうちの一方が、初期セル選択である。この手順は、ＲＦチャンネルが、Ｅ−ＵＴＲＡキャリアであることに関する従来の知識を使用しない。ＵＥは、適切なセルを見つけるために、ＵＥの能力に従って、Ｅ−ＵＴＲＡ帯域における全てのＲＦチャンネルをスキャンし得る。各キャリアの周波数において、ＵＥは、最も強いセルを検索するだけであり得る。適切なセルが見つけられると、適切なセルが、選択され得る。
【００８７】
二つの選択手順のうちの他方は、格納された情報セル選択を使用することである。この手順は、以前に受信された測定制御情報要素または以前に検知されたセルからの、キャリア周波数の格納された情報と、必要に応じて、セルパラメータに関する情報とを使用する。ＵＥが、適切なセルを見つけると、ＵＥは、適切なセルを選択し得る。適切なセルが、見つけられない場合には、上で記述された初期セル選択手順が、開始され得る。
【００８８】
セル再選択は、ＩＤＬＥモードに対するＵＥの手順における別のステップである。セルに留まる場合、ＵＥは、セル再選択基準に従って、より適切なセルを定期的に検索し得る。より適切なセルが、見つけられた場合には、より適切なセルが、留まっているＵＥによって選択され得る。
【００８９】
Ｅ−ＵＴＲＡＮ周波数間およびＲＡＴ間のセル再選択の場合においては、優先度に基づいた再選択基準が、適用され得る。異なるＥ−ＵＴＲＡＮ周波数またはＲＡＴ間周波数の絶対的な優先度が、システム情報またはＲＣＣ接続解除メッセージでＵＥに提供され得るか、またはＲＡＴ間セル選択もしくは再選択における別のＲＡＴからこれらの周波数を引き継ぐことによって提供され得る。
【００９０】
周波数内セル選択および等しい優先度の周波数間セル選択の場合においては、セル格付け手順が、最も適切なセルを特定するために適用され得る。セル格付け基準は、サービングセルに対して、Ｒｓとして定義され得、そして、（セル再選択基準Ｒとしても公知の）隣接セルに対して、「Ｒｎ」として定義され得る。これらの用語は、以下の式：
Ｒｓ＝Ｑｍｅａｓ，ｓ＋ＱＨｙｓｔ
Ｒｎ＝Ｑｍｅａｓ，ｎ＋Ｑｏｆｆｓｅｔ
によって定義され得、ここで、
【００９１】
【表２】
2011082980.tif 000004
である。
【００９２】
ＵＥは、セル選択基準Ｓを満たす全セルの格付けを行い得る。セルは、上で特定された基準Ｒに従って格付けされ、Ｑｍｅａｓ，ｎとＱｍｅａｓ，ｓとを導き出し、そして、平均化されたＲＳＲＰの結果を使用してＲの値を計算し得る。セルが、最も適切なセルとして格付けされた場合には、ＵＥは、そのセルに対してセル再選択を行い得る。
【００９３】
さらなる制限が、セル再選択に加えられ得る。実施形態において、以下の２つの条件が満たされた場合にのみ、ＵＥは、新たなセルを再選択し得る。第１には、新たなセルが、時間間隔「ＴｒｅｓｅｌｅｃｔｉｏｎＲＡＴ」の間、サービングセルよりも良く格付けされる。第２には、ＵＥが、現在のサービングセルに留まってから、１秒よりも多く経過している。
【００９４】
（１型中継の迂回中継リンクの質）
ＲＮを有する通信ネットワークにおいて、ＵＥが、ＲＮに接続したときには、従来の１回ホップの無線通信ではなく、２回ホップの無線通信が生じる。例えば、ＵＥからＲＮへの通信、そして、ＲＮからｅＮＢへの通信は、１回ホップだけを含むＵＥからｅＮＢへの通信とは異なり、２回のワイヤレスホップを含む。複数回ホップの通信は、２回以上のこのようなホップを含む。
【００９５】
上で考察されたように、ｅＮＢとＵＥとの間のリンクの全体的なスループットは、アクセスリンクであるＲＮとＵＥとの間のリンクの質だけに依存し得るのではなく、迂回中継リンクであるｅＮＢとＲＮとの間のリンクの質にも依存し得る。例えば、アクセスリンクのリンクの質は、非常に良好であるが、迂回中継リンクのリンクの質が比較的悪い場合には、エンドツーエンドの全体的なリンクの質は、あまり良くない。このリンクの質は、この特定の場合においては、迂回リンクによって妨げられている。
【００９６】
概して、迂回中継リンクは、比較的に良好であるべきである。しかしながら、モバイルＲＮまたは移動可能ＲＮの場合には、迂回中継リンクの質が、悪くなり得、そしてまた、時間で異なり得る。一実施形態において、２回ホップの無線通信に対するエンドツーエンドのＳＮＲは、以下の式によって示されるように導き出され得る。２回ホップの通信または複数回ホップの通信に対するエンドツーエンドのＳＮＲは、複合信号の質と呼ばれ得る。なぜならば、迂回中継リンク信号の質と、アクセスリンク信号の質との両方が、エンドツーエンドのＳＮＲを決定する際に使用されるからである。
【００９７】
【数１】
2011082980.tif 000005
式１において、ＳＮＲａｃｃｅｓｓ＿ｌｉｎｋは、アクセスリンクにわたるＳＮＲであり、そして、ＳＮＲｂａｃｋｈａｕｌ＿ｌｉｎｋは、迂回中継リンクにわたるＳＮＲである。式（１）から、アクセスリンクと迂回中継リンクとの両方が、同じ重要度でリンク全体の質に寄与することが理解される。固定された中継の場合において、主に、シャドーイング効果の変化によってＳＮＲｂａｃｋｈａｕｌ＿ｌｉｎｋは、非常にゆっくりと変化する。モバイル中継の場合において、ＳＮＲｂａｃｋｈａｕｌ＿ｌｉｎｋは、ＳＮＲａｃｃｅｓｓ＿ｌｉｎｋと同様の速度で変化し得る。
【００９８】
一実施形態において、ＵＥは、ＳＮＲａｃｃｅｓｓ＿ｌｉｎｋを直接的に測定し得る。ＵＥは、ＲＮまたはｅＮＢの一方または両方からＳＮＲａｃｃｅｓｓ＿ｌｉｎｋの測定報告を受信し得る。したがって、ＵＥは、式１に従って、ＳＮＲｅｎｄ−ｔｏ−ｅｎｄ（複合信号の質）の計算を行い得る。あるいは、ＲＮ、ｅＮＢ、またはＥＰＣを含む、ネットワークにおけるその他任意のコンポーネントが、ＳＮＲａｃｃｅｓｓ＿ｌｉｎｋ値およびＳＮＲｂａｃｋｈａｕｌ＿ｌｉｎｋ値を測定するか、またはそれらの測定を受信するかのいずれかである限り、コンポーネントは、ＳＮＲｅｎｄ−ｔｏ−ｅｎｄを計算し得る。限定するものではないが、以下で記述される技術などの他の技術が、ＳＮＲｅｎｄ−ｔｏ−ｅｎｄを計算または使用するために使用され得る。
【００９９】
ＲＮに接続されたＵＥは、そのＵＥがｅＮＢに直接接続された場合の１回ホップの送信と比べると、２回ホップの帯域幅を使用して１回の送信を完了し得る。ＵＥは、中継からより高いＳＮＲを受信し得るが、２回ホップ、すなわち、アクセスリンクと迂回中継リンクとに対して使用されるリソースの総量は、ＵＥからｅＮＢへの直接リンクにおける１回ホップの送信よりも大きい。スペクトルの効率の観点から、ＵＥは、最良のＳＮＲを提供するだけでなく、最高のスペクトル効率を達成するＳＮＲも提供するノードを選択するべきである。実施形態において、２回ホップの送信の際に使用される帯域幅は、以下の式：
【０１００】
【数２】
2011082980.tif 000006
として導き出され得、ここで、関数ｆは、シャノン容量の公式：
【０１０１】
【数３】
2011082980.tif 000007
を表す。
【０１０２】
別の実施形態において、関数ｆは、所定のＭＣＳマッピングの表または曲線に基づいた、ＳＮＲから特定のＭＣＳの組のマッピングであり得る。各ＭＣＳは、対応するスペクトル効率の値を有する。別の実施形態において、関数ｆは、ＳＮＲからスペクトル効率への任意のマッピング関数であり得る。
【０１０３】
２回ホップの無線通信に対する最終的な同等のエンドツーエンドＳＮＲは、以下：
【０１０４】
【数４】
2011082980.tif 000008
に示された式２になるように導き出され得、ここで、関数ｆ−１は、逆シャノン容量の式
【０１０５】
【数５】
2011082980.tif 000009
を表し、所定のＭＣＳマッピングの表または曲線に基づいた、特定のＭＣＳの組とＳＮＲとの間のマッピング、またはスペクトル効率からＳＮＲの任意のマッピング関数を表す。
【０１０６】
別の実施形態において、エンドツーエンドのＳＮＲは、単に、アクセスリンクおよび迂回中継リンクのリンクの質の最小値であり得る。この近似が、一部の場合において使用され得る。なぜならば、ＵＥが受信する有効スペクトル効率は、迂回中継リンクまたはアクセスリンクのいずれかであり得る制限するリンクによって妨げられ得るからである。この場合において、エンドツーエンドのＳＮＲは、
ＳＮＲｅｎｄ−ｔｏ−ｅｎｄ＝ｍｉｎ（ＳＮＲａｃｃｅｓｓ＿ｌｉｎｋ，ＳＮＲｂａｃｋｈａｕｌ＿ｌｉｎｋ）（式３）
として定義される。
【０１０７】
（１型中継ネットワークにおけるモビリティ手順における迂回中継リンクの質）
ＵＥが、上で記述されたモビリティ手順、例えば、周波数内セル再選択、またはハンドオーバなどを行うとき、ＵＥは、最も適切なセルを選択するべきである。最も適切なセルは、通常、上で定義された式に従って、最良の複合リンクの質を有するセルである。
【０１０８】
現在、ＬＴＥリリース８において、ＵＥは、測定されたＲＳＲＰだけに基づいてセルリンクの質を決定し得る。この手順は、１回ホップの通信において、うまく作用する。２回ホップの通信においては、その代わりに、２回ホップ合同のリンクの質が、考慮される。例えば、式（１）または式（２）から判断すると、アクセスリンクの質が良好であっても、迂回中継リンクの質が、まあまあである場合には、全体的なリンクの質は、迂回中継リンクの要因により、良好でないことがあり得る。したがって、ＵＥが、ＵＥのモビリティ手順の間、ＲＮまたはｅＮＢのいずれかによって生成される、異なる隣接セルに対するリンクの質を決定するときに、迂回中継リンクの質がまた、考慮されるべきである。
【０１０９】
また、ＲＮにおける負荷の均一化は、迂回中継リンクの質に比例し得る。弱い迂回中継リンクに対して、より少ない数のＵＥが、ＲＮに留まることが望ましいことがあり得る。そうでなければ、ＵＥがＩＤＬＥモードからＣＯＮＮＥＣＴＥＤモードになると、かなりの信号送信が、ＵＥを他のセルにハンドオーバするために必要であり得る。迂回中継リンクの質に基づいたセル選択の基準は、ＲＮの負荷を制御するために使用され得る。
【０１１０】
（ＣＯＮＮＥＣＴＥＤモードの要件とＩＤＬＥモードの要件）
実施形態において、ＣＯＮＮＥＣＴＥＤモードにおけるＵＥとＩＤＬＥモードにおけるＵＥの要件は、異なり得る。例えば、バッテリで動くＵＥに対する電力消費は、重要な基準となり得る。なぜならば、ＵＥは、それの時間の特定の部分をＩＤＬＥモードにおいて費やすことを期待され得るからである。したがって、ＵＥとアクセスノードとの間の直接リンクにおける、またはＵＥとＲＮとの間の直接リンクだけにおける、最良のＳＮＲが観察されたアクセスノードまたはＲＮの選択が、下りリンク送信の復号化と上りリンク送信の送信との両方を容易にするために望ましいことがあり得る。
【０１１１】
ＩＤＬＥモードにおけるＵＥは、時折の上りリンク送信、例えば、トラッキング範囲の登録およびトラッキング範囲の更新だけを行い得る。これらの送信のために消費されるセルリソースの量は、少ないであろう。また、（複数回ホップ通信による）待ち時間のわずかな増加は、問題ではないことがあり得るので、ＲＮの迂回中継リンクの質は、あまり関係がないことがあり得る。
【０１１２】
ＩＤＬＥモードにおけるＵＥは、ページングメッセージをモニタリングし得、そして、同時通信システム情報を時折の獲得または再獲得し得る。これらの動作のうちの両方が、最も高い観察されたＳＮＲを有するアクセスノードまたはＲＮを選択することによって容易にされ得る。実施形態において、ＨＡＲＱ再送信は、ページングメッセージに対しては可能ではないことがあるので、より高いＳＮＲが、受信されたあらゆるページングメッセージの正しい復号化を確実にすることを助け得る。また、より高いＳＮＲは、システム情報送信の可能なＨＡＱＲの組み合わせの使用を減少させ、これが、次に、ＵＥにおける電力消費とシステム情報を獲得するために必要とされる時間とを減少させる。
【０１１３】
ＵＥが、ＩＤＬＥモードにあるときに、上の基準は、考慮され得る。ＵＥが、ＣＯＮＮＥＣＴＥＤモードにあるときに、以下の基準が、考慮され得る。
【０１１４】
ＣＯＮＮＥＣＴＥＤモードにおけるＵＥが、１つ以上のＲＮおよび／またはｅＮＢにわたる任意の複数回ポップのリンクによって持ち込まれる待ち時間（特に、可能なＨＡＲＱ再送信がさらなる待ち時間を持ち込む）の量を最小化することが、好ましいことがあり得る。したがって、ＲＮの迂回中継リンクの質が、この状況において考慮され得る。
【０１１５】
ＣＯＮＮＥＣＴＥＤモードにおけるＵＥが、大量のデータを伝送することを期待され得、したがって、セルリソース全体に顕著な影響を有し得る。やはり、ＲＮの迂回中継リンクの質が、この場合において考慮され得る。
【０１１６】
一実施形態において、ＵＥに対するＩＤＬＥモードとＣＯＮＮＥＣＴＥＤモードとの両方に対する上記の基準を考慮すると、ＩＤＬＥモードにおけるＵＥが、１つの特定のリリース１０アクセスノードまたはセルを選択することが好ましいことがあり得るが、ＣＯＮＮＥＣＴＥＤモードにおける、同じネットワークシナリオを有する同じリリース１０のＵＥは、異なるリリース１０アクセスノードを選択することが好ましいことがあり得る。この状況は、Ｅ−ＵＴＲＡリリース８（ＬＴＥ）ネットワークの展開においては、問題ではないことがあり得、ここで、迂回中継リンクの質は、セル選択または再選択に対して考慮される必要がない。なぜならば、ＲＮは、存在しないからである。しかしながら、この状況は、ＲＮが存在し得るＥ−ＵＴＲＡリリース１０（ＬＴＥ−Ａ）ネットワークの展開において有利に対処され得る。
【０１１７】
本明細書において記述される実施形態は、迂回中継リンクの質が考慮されるべきである複数回ホップのネットワークにおいて、ＵＥに対する一般的なモビリティ手順（例えば、セル選択、セル再選択、ハンドオーバ手順など）に対処するために少なくとも４つの手法を企図している。これらの４つの解決策は、ＩＤＬＥモードのセル再選択、ＣＯＮＮＥＣＴＥＤモードのハンドオーバ、ＣＯＮＮＥＣＴＥＤモードへの移行直後のハンドオーバ、およびＣＯＮＮＥＣＴＥＤモードに入る前の即時セル再選択を含む。これらの手法のそれぞれが、次に考察される。
【０１１８】
（ＩＤＬＥモードのセル再選択）
ＩＤＬＥモードにおけるＵＥに関して、ＲＮの迂回中継リンクの質が、セル再選択手順によって考慮に入れられ得る。ＲＮの迂回中継リンクの質を考慮に入れることによって、エンドツーエンドのリンクの質が、適切なセル再選択手順を行うために決定され得る。エンドツーエンドのリンクの質を知ることによって、全体的なスペクトル効率が、改善され得る。エンドツーエンドのリンクの質の計算は、上で定義された式、および本開示を考慮して当業者には直ちに明白である他の技術に従って決定され得る。
【０１１９】
（ＣＯＮＮＥＣＴＥＤモードのハンドオーバ）
ＣＯＮＮＥＣＴＥＤモードにおけるＵＥに関して、中継ノードの迂回中継リンクの質が、ハンドオーバ手順によって考慮され得る。ＲＮの迂回中継リンクの質を考慮に入れることによって、エンドツーエンドのリンクの質が、適切なハンドオーバ手順を行うために決定され得る。エンドツーエンドのリンクの質を知ることによって、全体的なスペクトルの効率が、改善され得る。
【０１２０】
（ＣＯＮＮＥＣＴＥＤモードへの移行直後の可能なハンドオーバ）
ＩＤＬＥモードにおけるＵＥは、セルの再選択を行う際には、中継ノードの迂回中継リンクの質を考慮しないであろう。このようなＵＥが、ＣＯＮＮＥＣＴＥＤモードに入ったときには、全体的なスペクトル効率を改善するために、異なるセルへのＵＥのハンドオーバを行うか否かを決定する際に、ネットワークが、迂回中継リンクの質を考慮に入れ得る。このシナリオにおいて、ＵＥが、セル再選択を行っているときには、迂回中継リンクの質は、考慮に入れられる必要はないが、ＩＤＬＥモードにおいても、ＵＥがＣＯＮＮＥＣＴＥＤモードに移っているときにも考慮される必要はない。しかしながら、ＵＥが、ＣＯＮＮＥＣＴＥＤモードに入った後に、迂回中継リンクの質が考慮され得る。すなわち、迂回中継リンクの質を考慮した後、ＵＥがＣＯＮＮＥＣＴＥＤモードに入った後に、ネットワークは、ＵＥを別のセルに移動させ得る。この実施形態（ＩＤＬＥモードのセル選択の間、迂回中継リンクの質を考慮しない）は、上で記述されたＣＯＮＮＥＣＴＥＤモードのハンドオーバの実施形態とは異なり、ここで、ＩＤＬＥモードにおいてセル選択を行っている間に（すなわち、ＣＯＮＮＥＣＴＥＤモードに移る前に）、ＵＥが、迂回中継リンクの質を考慮し得る可能性がある。
【０１２１】
（ＣＯＮＮＥＣＴＥＤモードに入るまえの媒介セル再選択）
ＩＤＬＥモードにおけるＵＥは、現在のリリース８のセル選択または再選択の基準を使用して、留まるべきセルを選択する。リリース８の基準、最良のＳＮＲを有するセル、および正しいＰＬＭＮなどの他の関連の選択基準または他の基準を満たす基準を使用することが、選択される。これらの基準は、ＩＤＬＥモードの間、ＵＥの電力消費を最小化する。
【０１２２】
ＵＥが、ＣＯＮＮＥＣＴＥＤモードに移るとき、例えば、ＵＥが、ページングされるとき、またはユーザが、接続セッションを開始することを望むとき、ＵＥは、隣接セルからの最近のおよび／または新しく獲得された測定および／またはシステム情報、および／またはサービングセルからの迂回中継リンクの質に関連する追加情報を調べ得る。この場合において、迂回中継リンクの質は、ＣＯＮＮＥＣＴＥＤモードに入る前の媒介セル再選択に対するパラメータとして考慮され得る。ＵＥは、ＩＤＬＥモードからＣＯＮＮＥＣＴＥＤモードへの移行を開始する前に、適切な隣接セルを再選択し得る。適切な隣接セルは、セルリソースの予期される全体的な消費が、最小化されるセルである。
【０１２３】
別の実施形態において、ＵＥが、現在のサービングセルにおいて、ＩＤＬＥモードからＣＯＮＮＥＣＴＥＤモードへの移行を行った場合には、必要な場合に、サービングセルの対応するアクセスノードが、ＵＥを構成して、必要に応じて測定を行い報告し得る。次に、これらの測定報告は、セルの性能を最適化するより適切なアクセスノードのネットワークに指示されたハンドオーバを引き起こすために使用され得る。この場合において、ネットワークに指示されたハンドオーバは、いつハンドオーバを行うかと、ハンドオーバする標的のＲＮまたはアクセスノードを決定するための基準として迂回中継リンクの質を考慮し得る。
【０１２４】
ＵＥが、トラッキング範囲登録またはトラッキング範囲更新（ＴＡＵ）を行う目的で、一時的にＣＯＮＮＥＣＴＥＤモードに移っている場合には、ＵＥは、異なるセルを再選択する必要はない。その代わりに、ＵＥは、現在選択されたセルに留まったままであり得る。一実施形態において、ＵＥのＮＡＳは、ＵＥのＲＲＣに対して、ＲＲＣ接続要求が、単にＴＡＵを行うためのものであることを示し得る。したがって、ＵＥは、パラメータとして迂回中継リンクの質を考慮することによって別のセルを選択する必要はない。別の実施形態において、ｅＮＢは、ＵＥが、単に、別のアクセスモードへのＣＯＮＮＥＣＴＥＤモードのハンドオーバを引き起こすことを回避するＴＡＵの目的のために、ＣＯＮＮＥＣＴＥＤモードに移っていることを気付かされ得る。いくつかの可能な実施形態が、以下に記述される。
【０１２５】
実施形態において、ｅＮＢにこの情報を気付かせることは、ＲＲＣ接続要求メッセージにおけるＩＥ（情報要素）確立原因を修正することによって達成され得る。ＲＲＣ接続要求メッセージは、ＵＥが、ＩＤＬＥモードからＣＯＮＮＥＣＴＥＤモードに移ろうとするときに、ＵＥが、ｅＮＢに送信してｅＮＢとのＲＲＣ接続を開始する第１のメッセージである。現在のＩＥ確立原因は、以下の値：緊急；高優先度のアクセス；ｍｔ−アクセス；ｍｏ−信号送信；ｍｏ−データ；および３つの予備の値を含み得る。実施形態において、トラッキング範囲信号送信などの新たな確立原因値は、ＲＲＣ接続要求が、単に予備値のうちの１つを使用するＴＡＵの目的のためのものであることを示すために定義され得る。したがって、ＵＥが、ＣＯＮＮＥＣＴＥＤモードに移った後に、ネットワークは、ネットワークに指示された可能なハンドオーバに対して迂回中継リンクの質をさらに考慮する必要はない。
【０１２６】
代替の実施形態において、ＴＡＵが、ｍｏ−信号送信がＲＲＣ接続要求メッセージ内で使用される確立原因となった場合、ｅＮＢは、ハンドオーバの決定に対して、中継の迂回中継リンクの質を考慮することを認められない。この制限は、中継の迂回中継リンクの質に基づいた可能なハンドオーバが、長期の期間妨げられないように、ＵＥがＲＲＣ接続を確立することに続く一定の期間の間のものである。
【０１２７】
上記の解決策において、全体的なリンクの質における迂回中継リンクの質が、評価または計算され得る。この評価または計算は、上で定義された式を使用して行われ得る。
【０１２８】
上で記述された実施形態において、ワイヤレスネットワークにおける異なるコンポーネントが、上で記述された様々な機能を行い得る。例えば、ｅＮＢおよび／またはＲＮは、迂回中継リンクの質を測定し、そして、その情報をＵＥに送信し得る。ＵＥは、アクセスリンク信号の質を測定し得るか、またはＲＮ／ｅＮＢが、アクセスリンク信号の質を測定し、そして次に、その情報をＵＥに送信し得る。次に、ＵＥは、上で定義された式に従ってセル選択基準を計算し得る。別の実施形態において、ｅＮＢまたはＲＮは、隣接セルのリストを維持し、そして、様々な迂回中継リンクおよび／またはアクセスリンクに対する対応する信号の質をそのリストに含み、そして、次に、セル選択基準を決定する際のＵＥによる使用のために、ＵＥにそのリストを送信し得る。さらに別の実施形態において、ＲＮおよび／またはｅＮＢは、測定されたアクセスリンク信号の質をＵＥから受信し得るか、あるいはアクセスリンク信号の質を直接的に測定し、そして、次に、上で記述された技術に従って複合信号の質を計算し得る。この場合において、ＲＮおよび／またはｅＮＢは、複合信号の質をＵＥに送信し得る。またさらに、ＲＮおよび／またはｅＮＢは、セル選択または再選択の係数を計算し、そして、次に、セル選択または再選択に使用するために、それらの係数をＵＥに送信し得る。どのコンポーネントがどの機能を行うかに関しては、他の組み合わせが可能である。さらに、上記の実施形態は、ＵＥに対するその他任意のモビリティ手順、例えば、ハンドオーバ手順にも適用される。
【０１２９】
図３は、本開示の一実施形態に従った、セル選択またはセル再選択のうちの一方から選択された手順を行うか否かを決定するために迂回中継リンクの質を使用するプロセスを例示する流れ図である。図３に示されたプロセスは、図４に示されたネットワークコンポーネントまたは何らかの他の種類のネットワークコンポーネントにおいて、図１に示されたＵＥのうちの任意のものなどのＵＥに実装され得る。図３に示されたプロセスは、図１または図２のいずれかに関して記述された技術を使用して、実装され得る。図３に示されたプロセスは、例示的なプロセスであり、そして、他のプロセスが、図１および図２に関して提供された記述と、本明細書の他の箇所とに基づいて当業者によって認識され得る。
【０１３０】
プロセスは、ネットワークコンポーネントまたはＵＥが、少なくとも部分的には、第１の中継ノードと第１のアクセスノードとの間の第１の迂回中継リンクの質に基づいて、セル選択またはセル再選択などのモビリティ手順を行うか否かを決定すると開始する（ブロック３００）。この手順は、ここで終了し得るか、続き得る。
【０１３１】
次に、ＵＥは、第２の中継ノードと第２のアクセスノードとの間の第２の迂回中継リンクの質を受信し得る。ＵＥまたはネットワークコンポーネントは、ＵＥと第１の中継ノードとの間の第１のアクセスリンクの第１のアクセスリンクの質と、ＵＥと第２の中継ノードとの間の第２のアクセスリンクの第２のアクセスリンクの質とを測定し得る（ブロック３０２）。第１のアクセスノードは、第２のアクセスノードと同じであり得るか、または同じでないことがあり得ることに留意されたい。ネットワークコンポーネントまたはＵＥは、アクセスリンクの質を測定し得、そして、ネットワークによるその測定を与えられる必要がないことがあり得る。
【０１３２】
ネットワークコンポーネントまたはＵＥは、第１の迂回中継リンクの質と第１のアクセスリンクの質との両方を含む第１の複合信号の質を計算する（ブロック３４０）。ネットワークコンポーネントまたはＵＥはまた、迂回中継リンクの質と第２のアクセスリンクの質との両方を含む第２の複合信号の質を計算する（ブロック３０６）。次に、ネットワークコンポーネントまたはＵＥは、第１の複合信号の質と第２の複合信号の質とに基づいてセルを選択すること、または再選択することのうちの一方を行う（ブロック３０８）。プロセスは、その後終結する。
【０１３３】
ＵＥ、ＲＮ、およびアクセスノート、ならびに上で記述された他のコンポーネントは、上で記述された行為に関する命令を実行することができる処理コンポーネントを含み得る。図４は、システム４００の例を例示しており、該システム４００は、本明細書において開示された１つ以上の実施形態を実装するのに適した処理コンポーネント４１０を含む。プロセッサ４１０（中央処理装置、すなわちＣＰＵと呼ばれ得る）に加えて、システム４０は、ネットワーク接続デバイス４２０と、ランダムアクセスメモリ（ＲＡＭ）４３０と、読取専用メモリ（ＲＯＭ）４４０と、第２のストレージ４５０と、入力／出力（Ｉ／Ｏ）デバイス４６０とを含み得る。これらのコンポーネントは、バス４７０を介して互いに通信し得る。一部の場合において、これらのコンポーネントのうちの一部が、存在しないことがあり得るか、または互いに様々な組み合わせで、または図示されていない他のコンポーネントとの様々な組み合わせで組み合わされ得る。これらのコンポーネントは、単一の物理的なエンティティまたは２つ以上の物理的なエンティティに配置され得る。プロセッサによって処理されると本明細書に記述されたあらゆる行為が、プロセッサ４１０単独で、または図面に示されたか、もしくは図面に示されていない１つ以上のコンポーネント、例えば、デジタル信号プロセッサ（ＤＳＰ）４０２と共にプロセッサ４１０によって処理され得る。ＤＳＰ４０２は、別個のコンポーネントとして示されているが、ＤＳＰ４０２は、プロセッサ４１０に組み込まれ得る。
【０１３４】
プロセッサ４１０は、プロセッサ４１０が、ネットワーク接続デバイス４２０、ＲＡＭ４３０、ＲＯＭ４４０、または第２のストレージ４５０（ハードディスク、フロッピー（登録商標）ディスク、ＳＩＭ（加入者識別モジュール）カード、もしくは光ディスクなどの様々なディスクベースのシステム、または他のストレージデバイスを含み得る）からアクセスし得る命令、コード、コンピュータプログラム、またはスクリプトを実行する。アプリケーション、または他のコンピュータ使用可能なプログラムコードが、これらのデバイスのうちの任意のもの、または何らかの他のストレージデバイスに格納され得る。１つだけのＣＰＵ４１０が、示されているが、複数のプロセッサが、存在し得る。したがって、命令は、プロセッサによって実行されると考察され得るが、命令は、１つまたは複数のプロセッサによって、同時に、または連続的に実行され得る。プロセッサ４１０は、１つ以上のＣＰＵチップとして実装され得る。
【０１３５】
ネットワーク接続デバイス４２０は、モジュール、モデムバンク、イーサネット（登録商標）デバイス、ユニバーサルシリアルバス（ＵＳＢ）インタフェースデバイス、シリアルインタフェース、トークンリングデバイス、ファイバ分布型インタフェース（ＦＤＤＩ）デバイス、ワイヤレスローカルエリアネットワーク（ＷＬＡＮ）デバイス、符号分割多元接続（ＣＤＭＡ）デバイスなど無線送受信デバイス、世界移動電話規格（ＧＳＭ）無線送受信デバイス、マイクロ波アクセスのための世界相互運用性（ＷｉＭＡＸ）デバイス、および／またはネットワークに接続するための他の周知のデバイスの形式を取り得る。これらのネットワーク接続デバイス４２０は、プロセッサ４１０が、インターネット、またはプロセッサ４１０が情報を受信し得るか、またはプロセッサ４１０が情報を出力し得る１つ以上の遠隔通信ネットワークもしくは他のネットワークと通信することを可能にし得る。ネットワーク接続デバイス４２０はまた、ワイヤレスでデータを送信および／または受信することができる１つ以上の送受信コンポーネント４２５を含み得る。
【０１３６】
ＲＡＭ４３０は、揮発性データを格納し、あるいはプロセッサ４１０によって実行される命令を格納するために使用され得る。ＲＯＭ４４０は、不揮発性のメモリデバイスであり、該不揮発性のメモリデバイスは、一般的には、第２のストレージ４５０の記憶能力よりも少ない記憶能力を有する。ＲＯＭ４４０は、命令を格納するために、あるいは命令の実行中に読み込まれるデータを格納するために使用され得る。ＲＡＭ４３０とＲＯＭ４４０との両方へのアクセスは、一般的には、第２のストレージ４５０にアクセスするよりも速い。第２のストレージ４５０は、一般的には、１つ以上のディスクドライブまたはテープドライブから構成され、データの不揮発性の格納のために使用され得るか、またはＲＡＭ４３０が、全ての実用的なデータを保持するために充分に大きくない場合には、オーバフローデータストレージデバイスとして使用され得る。第２のストレージ４５０は、プログラムが実行のために選択された場合に、ＲＡＭ４３０にロードされるプログラムを格納するために使用され得る。
【０１３７】
Ｉ／Ｏデバイス４６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープリーダ、プリンタ、ビデオモニタ、または他の周知の入力／出力デバイスを含み得る。また、送受信機４２５は、ネットワーク接続デバイス４２０のコンポーネントである代わりに、またはそのことに加えて、Ｉ／Ｏデバイス４６０のコンポーネントであると考えられ得る。
【０１３８】
したがって、実施形態は、モビリティ手順を行うか否かを決定するように構成されたプロセッサを含むシステムを提供する。決定は、少なくとも部分的には、中継ノードとアクセスノードとの間の迂回中継リンクの質に基づいている。
【０１３９】
実施形態はまた、モビリティ手順におけるＵＥによる使用のために、迂回中継リンクの質に関する情報を決定し、そしてそれをＵＥに提供するように構成されたプロセッサを備えているネットワークコンポーネントを提供する。ネットワークコンポーネントは、ＲＮまたはアクセスノードのうちの少なくとも一方であり得る。
【０１４０】
実施形態はまた、プロセッサによって実装された方法を提供する。方法は、ユーザ機器（ＵＥ）にモビリティ手順を行わせるか否かを決定することを含む。決定は、少なくとも部分的には、中継ノードとアクセスノードとの間の迂回中継リンクの質に基づいている。
【０１４１】
以下の文書が、その全体が参考として援用される：ＴＲ  ３６．８１４  ｖ．  １．０．０，  “Ｆｕｒｔｈｅｒ  Ａｄｖａｎｃｅｍｅｎｔｓ  ｆｏｒ  Ｅ−ＵＴＲＡ，  Ｐｈｙｓｉｃａｌ  Ｌａｙｅｒ  Ａｓｐｅｃｔｓ”  ３ＧＰＰ；  ＴＳ  ３６．３００  ｖ  Ｖ８．９．０  （２００９−０６）；  “Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ    （Ｅ−ＵＴＲＡＮ）；  Ｏｖｅｒａｌｌ  ｄｅｓｃｒｉｐｔｉｏｎ；  Ｓｔａｇｅ  ２  （Ｒｅｌ  ８）”；  Ｒ１−０９２４１９，  “Ｔｙｐｅ−ＩＩ  Ｒｅｌａｙ  Ｒｅｆｅｒｅｎｃｅ  Ｓｉｇｎａｌ  Ｔｒａｎｓｍｉｓｓｉｏｎ  ａｎｄ  ＵＥ  Ａｓｓｏｃｉａｔｉｏｎ”，  ＲＩＭ；  ３ＧＰＰ  ＴＳ  ３６．２１３  Ｖ８．７．０  （２００９−０６），  “Ｐｈｙｓｉｃａｌ  ｌａｙｅｒ  ｐｒｏｃｅｄｕｒｅｓ  （Ｒｅｌｅａｓｅ  ８）”；  ３ＧＰＰ  ＴＳ  ３６．３３１  Ｖ８．６．０  （２００９−０６），  “Ｒａｄｉｏ  Ｒｅｓｏｕｒｃｅ  Ｃｏｎｔｒｏｌ  （Ｒｅｌｅａｓｅ  ８）”；および３ＧＰＰ  ＴＳ  ３６．３０４  Ｖ８．６．０  （２００９−０６），  “Ｕｓｅｒ  Ｅｑｕｉｐｍｅｎｔ  （ＵＥ）  ｐｒｏｃｅｄｕｒｅｓ  ｉｎ  ｉｄｌｅ  ｍｏｄｅ  （Ｒｅｌｅａｓｅ  ８）”。
【０１４２】
実施形態は、１つ以上のコンピュータ読み取り可能な媒体を企図している。用語「コンピュータ読取可能な媒体」は、データを格納し得、そして、プロセッサまたは他の電子デバイスがデータを読み取り得る実体的なストレージデバイスを指す。しかしながら、実施形態は、搬送波などの送信媒体によって具体化され得る。実施形態はまた、本明細書において記述された技術を行うように構成されたプロセッサの形式で実装され得る。プロセッサは、ソフトウェアを用いてプロセッサをプログラミングすることによってか、特定の機能を行うようにプロセッサを物理的に設計することによって、例えば、特定用途向け集積回路（ＡＳＩＣ）の形式でか、または当業者に周知の他の技術を使用してかのいずれかで技術を行うように構成され得る。
【０１４３】
いくつかの実施形態が、本開示において提供されているが、開示されたシステムおよび方法は、本開示の精神または範囲を逸脱することなく、多くの他の特定の形式で具体化され得ることが、理解されるべきである。本開示の例は、例示と考えられるべきであり、限定と考えられるべきではない。そして、本明細書において与えられた詳細に限定されることを意図していない。例えば、様々な要素またはコンポーネントが、別のシステムと組み合わせられ得るか、またはそれと統合され得、または特定の特徴は、省かれ得るか、または実装されないことがあり得る。また、例えば、記述は、２回ホップの通信に関するだけであるが、同様な手法が、例えば、３回ホップなどの複数回ホップの通信にも適用され得る。
【０１４４】
また、離散型または別個として様々な実施形態において記述および例示された技術、システム、サブシステム、および方法は、本開示の範囲を逸脱することなく、他のシステム、モジュール、技術、方法と組み合わせられ得るか、またはそれと統合され得る。互いに結合される、もしくは互いに直接的に結合される、または互いに通信していると示されたか、または考察された他の品目が、何らかのインタフェース、デバイス、または媒介コンポーネントを介して電気的、機械的などのいずれかで間接的に結合され得るか、または通信し得る。変更、置換、および代替の他の例が、当業者によって確かめることができ、そして、本明細書において開示された精神および範囲を逸脱することなく行われ得る。
【符号の説明】
【０１４５】
１０２、１１２  ＵＥ
１０４、１１８  ＭＭＥ／ＳＧＷ
１０６、１１４、１２０、１２２  ＲＮ
１０８、１１６  ｅＮＢ
【図１】
2011082980.tif 000010
【図２】
2011082980.tif 000011
【図３】
2011082980.tif 000012
【図４】
2011082980.tif 000013